(57)【要約】  本発明は、第１の層および第２の層を備える封入材料を有し、封入材料のそれらの層によって形成された空間に添加剤が封入されるようになっている生理用品のための供給デバイスに関するものである。供給デバイスは、封入材料の第２の層の上に配置される第３の層をさらに有している。第３の層は、封入材料の第２の層の縁部を越えて延在し、それによって実質的に縁部全体を被覆している。また、第３の層は、添加剤を封入する封入材料の第１の層と第２の層との間に形成された空間を通って延在していてもよい。それによって、第３の層は、供給デバイスを備えた製品の使用者が封入材料の第２の層の縁部と接触することを防止し、さらに輸送、保管および使用時に適所に保持されるよう供給デバイスを取り付けるための手段を提供する。また、本発明は、供給デバイスを備えた例えば衛生ティッシュおよび吸収用品などの生理用品に関するものである。
2010508886.tif 000002
【特許請求の範囲】
【請求項１】
添加剤(１５)の供給のための供給デバイス(１)を具備してなる生理用品であって、
前記供給デバイス(１)は、封入材料の第１の層(５)と第２の層(１０)とを具備してなり、前記第１の層(５)は、第１の縁部(４５)によって画定されており、かつ前記第２の層は、第２の縁部(３５)によって画定されており、前記第１の層(５)は、前記第２の層(１０)に対して前記供給デバイス(１)の使用者に面する側(３０)に配置されており、封入材料の前記第１の層(５)と前記第２の層(１０)とは、前記添加剤(１５)を封入する空間(２０)を形成しており、前記供給デバイス(１)は、封入材料の前記第２の層(１０)の使用者に面する側(３０)に位置させられた第３の層(２５)をさらに具備してなり、前記第３の層(２５)は、封入材料の前記第２の層(１０)の前記第２の縁部(３５)を越えて延在し、かつそれによって、少なくとも実質的に前記第２の縁部(３５)の全体を被覆するようになっていることを特徴とする生理用品。
【請求項２】
前記第３の層(２５)は、封入材料の前記第２の層１０の縁部３５の外側に、少なくとも１.５ｍｍ、さらに好ましくは少なくとも５ｍｍ、最も好ましくは少なくとも１０ｍｍ延在していることを特徴とする請求項１に記載の生理用品。
【請求項３】
前記第１の層(５)と前記第２の層(１０)とは、それらの縁部に沿って互いに封止されていることを特徴とする請求項１または請求項２に記載の生理用品。
【請求項４】
前記第３の層(２５)は、封入材料の前記第１の層(５)と前記第２の層(１０)との間に配置されていることを特徴とする請求項１ないし請求項３のいずれか一項に記載の生理用品。
【請求項５】
前記第３の層(２５)は、封入材料の前記第１の層(５)と前記第２の層(１０)との間に形成された前記空間(２０)を実質的に通って延在していることを特徴とする請求項４に記載の生理用品。
【請求項６】
前記第３の層(２５)は、多孔質材料を具備してなることを特徴とする請求項１ないし請求項５のいずれか一項に記載の生理用品。
【請求項７】
前記多孔質材料は、不織布、ワッディング、またはフィルターフォームを具備してなることを特徴とする請求項６に記載の生理用品。
【請求項８】
前記第３の層(２５)は、好ましくは有孔の、プラスチックフィルムを具備してなることを特徴とする請求項１ないし請求項６のいずれか一項に記載の生理用品。
【請求項９】
封入材料の前記第１の層(５)および／または前記第２の層(１０)は、水蒸気不透過性のものであることを特徴とする請求項１ないし請求項８のいずれか一項に記載の生理用品。
【請求項１０】
封入材料の前記第１の層(５)および／または前記第２の層(１０)は、金属箔を具備してなることを特徴とする請求項９に記載の生理用品。
【請求項１１】
前記金属箔は、アルミニウム箔であることを特徴とする請求項１０に記載の生理用品。
【請求項１２】
封入材料の前記第１の層(５)および／または前記第２の層(１０)は、ポリマーフィルムを具備してなることを特徴とする請求項１ないし請求項１０のいずれか一項に記載の生理用品。
【請求項１３】
前記ポリマーフィルムは、ポリエチレン、ポリプロピレン、ポリエステル、ポリ塩化ビニル、ポリニ塩化ビニル、環状オレフィンコポリマー、コポリマー、およびその混合物、金属化ポリオレフィン、ならびにセラミックバリアを備えたプラスチックラミネートからなる群から選択されるものであることを特徴とする請求項１２に記載の生理用品。
【請求項１４】
封入材料の前記第１の層(５)および／または前記第２の層(１０)は、ポリマー材料を具備してなるラミネートを備えていることを特徴とする請求項１ないし請求項１３のいずれか一項に記載の生理用品。
【請求項１５】
前記ポリマー材料は、ポリエチレン、ポリプロピレン、ポリエステル、ポリエチレンテレフタレート、ポリ塩化ビニル、ポリニ塩化ビニル、環状オレフィンコポリマー、ポリオレフィン、金属化ポリオレフィン、エチレンビニルアセテートコポリマー、エチレンエチルアクリラートコポリマー、エチレンブチルアクリラートコポリマー、ポリアミド、ポリビニルアルコール、でんぷん由来のポリマー、ポリ乳酸、イオノマー、コポリマー、およびその混合物、ならびにセラミックバリアを備えたプラスチックラミネートからなる群から選択されるものであることを特徴とする請求項１４に記載の生理用品。
【請求項１６】
前記添加剤(１５)は、スキンケア剤、例えばオイルまたはローションを具備してなることを特徴とする請求項１ないし請求項１５のいずれか一項に記載の生理用品。
【請求項１７】
前記添加剤(１５)は、プレバイオティクム、ｐＨ調整物質、疎水性物質、抗菌性物質、抗真菌性物質、および／または芳香性物質を具備してなることを特徴とする請求項１ないし請求項１５のいずれか一項に記載の生理用品。
【請求項１８】
前記添加剤(１５)は、酸化亜鉛を具備してなることを特徴とする請求項１ないし請求項１５のいずれか一項に記載の生理用品。
【請求項１９】
前記添加剤(１５)は、感湿性のものであることを特徴とする請求項１ないし請求項１８のいずれか一項に記載の生理用品。
【請求項２０】
感湿性を有する前記添加剤(１５)は、プロビオティックバクテリアを具備してなることを特徴とする請求項１９に記載の生理用品。
【請求項２１】
前記プロビオティックバクテリアは、バクテリアを生成する乳酸菌であることを特徴とする請求項２０に記載の生理用品。
【請求項２２】
感湿性を有する前記添加剤(１５)は、臭気抑制物質を具備してなることを特徴とする請求項１９に記載の生理用品。
【請求項２３】
前記臭気抑制物質は、ゼオライトおよび／またはシリカであることを特徴とする請求項２２に記載の生理用品。
【請求項２４】
前記添加剤(１５)は、薬学的に使用可能なキャリア、賦形剤および／または希釈剤を、さらに具備してなることを特徴とする請求項１ないし請求項２３のいずれか一項に記載の生理用品。
【請求項２５】
前記薬学的に使用可能なキャリアは、疎水性キャリアであることを特徴とする請求項２４に記載の生理用品。
【請求項２６】
封入材料の前記第１の層(１０)は、前記添加剤(１５)が露出されるよう、前記供給デバイス(１)の使用時に除去されるようになっていることを特徴とする請求項１ないし請求項２５のいずれか一項に記載の生理用品。
【請求項２７】
前記生理用品は、衛生ティッシュであることを特徴とする請求項１ないし請求項２６のいずれか一項に記載の生理用品。
【請求項２８】
前記生理用品は、吸収用品(５０)であることを特徴とする請求項１ないし請求項２６のいずれか一項に記載の生理用品。
【請求項２９】
前記吸収用品(５０)は、上側シート(５５)を具備してなり、前記供給デバイス(１)は、前記上側シート(５５)に配置されていることを特徴とする請求項２８に記載の生理用品。
【請求項３０】
前記供給デバイス(１)は、前記上側シート(５５)における開口部(７０)に配置されていることを特徴とする請求項２８に記載の生理用品。
【請求項３１】
前記第３の層(２５)は、前記上側シート(５５)であることを特徴とする請求項２８に記載の生理用品。
【請求項３２】
前記吸収用品(５０)は、生理用ナプキン、パンティライナー、生理用パンツ、またはタンポン；幼児用または失禁をする成人用のオムツもしくはパンツ型オムツ；失禁パッド；あるいはオムツ用インサートであることを特徴とする請求項２８ないし請求項３１のいずれか一項に記載の生理用品。
【請求項３３】
二つ以上の供給デバイス(１)を具備してなることを特徴とする請求項１ないし請求項３２のいずれか一項に記載の生理用品。
【発明の詳細な説明】
【技術分野】
【０００１】
本発明は、皮膚および／または尿性器領域において有益な効果を有する添加剤を備えた供給デバイスを有する生理用品、例えば吸収用品または生理用ティッシュなどに関するものである。特に、本発明は、使用が容易であり、かつ使用者を不快にさせない供給デバイスを備える生理用品に関するものである。さらに、本発明の供給デバイスは、生理用品に供給デバイスを取り付けるための手段を提供する。
【背景技術】
【０００２】
尿性器領域は、湿度、脂肪および微生物のバランスに鋭敏な敏感な領域であるが、それは容易に乱れるものであり、不快感および痛みが引き起こされることがある。例えば、このバランスは、過度の洗浄、抗菌性剤または抗真菌性剤の使用、皮膚または粘膜を乾燥させ得る吸収用品の使用によって乱れることがある。尿性器領域にさまざまな物質、例えばプレバイオティクス(prebiotics)、プロバイオティクス(probiotics)、皮膚鎮静物質(skin soothing substance)などを適用することによって、尿性器領域におけるバランスが改善され、かつ／または不快感を与えることが防止されることは、公知となっている。
【０００３】
尿性器領域には、５０以上のさまざまな種類のバクテリアを有する複雑な生態系が存在する(非特許文献１)。健康な人間の微生物の生態系は、ホルモンの変化中に、例えば妊娠期間中または女性ホルモンを用いる避妊薬の使用中、生理中、閉経後に、糖尿病などに罹患している人間が耐菌性剤を使用することによって崩れることがある。さらに、これは、感染症を引き起こす肛門から尿性器領域への微生物の拡散を引き起こす可能性がある。これは、通常の微生物叢を乱れさせ、かつ微生物に感染しやすい人間に、膣炎、尿路感染症および通常の皮膚感染症を引き起こすようにする。妊娠している女性のこの領域における優勢種は、細菌を生じる乳酸菌である。そうした細菌の一例として、ラクトバシラス属、ラクトコッカス属、バシラス属、およびビフィドバクテリウム属に属する細菌が挙げられる。要素を形成するこれらの乳酸菌は、これらの領域において健康的な微生物叢を維持するために重要なものであり、病原性の微生物種とは反対の効果を備えたプロバイオティクバクテリアとして機能する。バクテリアを生じる乳酸菌は、生物膜の形成および使用可能な栄養素のための競争による、他の微生物の成長、およびコロニー化のための適切な生態学的地位をなすことによるコロニー化を防ぎ、それによって、有害な微生物によるコロニー化が防止される。さらに、過酸化水素の生成、バクテリオシンなどの物質およびｐＨ値のより低い(乳酸および酢酸を含む)有機酸の特定の抑止は、他の微生物によるコロニー化を防止する。
【０００４】
尿性器領域と同様に、皮膚も、湿度、脂肪および微生物のバランスに敏感であるが、それは、皮膚が乾燥状態となると容易に乱れ、かつ過度の洗浄などによって微生物バランスが崩れる。
【０００５】
望ましくない微生物によって引き起こされる尿性器領域および皮膚における従来の感染症は、体の感染した部位に耐菌性剤および耐真菌性剤を用いることで処置されている。そうした薬剤が感染症の処置に使用されるにもかかわらず、薬剤は、薬剤自身によって微生物叢を乱すこともある。
【０００６】
さらに、最近、尿性器領域および皮膚に、プロバイオティクバクテリア(例えばバクテリアを生じる乳酸)を適用することは、病原性の種を打ち負かし、その領域における有益な微生物叢の再形成および維持を容易にするために行われている。
【０００７】
尿性器および皮膚環境を改善するために使用できかつその領域に用いるために重要となり得る他の添加剤は、プレバイオティクスを含んでいる。プレバイオティクスは、宿主に十分な量となるよう与えられた場合に、バランスの取れた微小物叢を活性化する。一例として、プロバイオティクバクテリア、プロバイオティクバクテリアの宿主の癒着を促進する物質、およびｐＨ調整物質が挙げられる。
【０００８】
加えて、必要とされる低いｐＨを維持しかつ／または実現するために、皮膚および尿性器領域に対してｐＨ調整物質などの添加剤を供給することが重要となるであろう。皮膚および／尿性器領域の環境を改善するために使用される物質の他の例として、温度安定化物質、疎水性物質、抗酸化剤、皮膚鎮静物質、および臭気抑制物質が挙げられる。
【０００９】
冷却物質、かゆみ止め物質、および芳香性物質などの添加剤は、快適さを高めるために皮膚および／または尿性器領域に供給されてもよい。
【００１０】
これらの添加剤を皮膚および／または尿性器領域に供給する方法の一例として、例えば衛生用ティッシュおよび吸収用品などの生理用品を介して添加剤を提供することが挙げられる。例えば特許文献１、特許文献２、特許文献３、特許文献４および特許文献５に開示されているように、例えばプロバイオティクバクテリアは、例えばオムツ、生理用ナプキン、失禁ガード、パンティライナーおよびタンポンなどの吸収製品によって供給可能である。また、特許文献６に開示されているように、衛生用ティッシュによってプロバイオティクをバクテリア供給することが考えられる。
【００１１】
しかしながら、添加剤が生理用品によって供給される場合に、多くの場合、さまざまな利用のために生理用品の使用前に、添加剤を封入することが望まれており、かつ／またはそれが必要とされている。
【００１２】
プロバイオティクバクテリアおよび臭気抑制物質は、多くの場合、感湿性のものであり、かつ湿気にさらされると、その効果が低減する。そのため、そうした添加剤は、添加剤を有する衛生用品の輸送および保管中に、水分不透過性パッケージで封入されている必要がある。
【００１３】
また、供給される添加剤を酸化から守ることが必要となる。例えば、脂肪酸は、空気と接触すると酸化し、敗油臭がするようになる。他の添加剤、例えば芳香性物質および香料は、気化を防ぐことが必要となる。特許文献７には、例えば活性薬品を有する密閉外装を備えた生理用ナプキンが開示されており、その外層は、活性薬品が、生理用ナプキンの材料と非接触となりかつ保管中に空気および蒸気と非接触となる状態を保つために使用されている。
【００１４】
さらに、生理用品によって供給される添加剤が、使用前におよび／または使用中に製品の他の部分に拡散しないよう、製品の限定された領域に保持されることが望まれている。生理用品を折り曲げかつ包装するとき、例えば疎水性物質を備える添加剤などの粘着性のある添加剤は、製品が汚れて見えるか、または例えばその液体吸収特性を低下させることによってその機能を損なうことのある望ましくない様式で、パッケージに固着するか、あるいは製品を汚すことがある。特に、脂肪酸および他の疎水性添加剤は、吸収製品の液体吸収特性を損なうことがあるため、輸送および保管中に、製品における拡散を防ぐ必要がある。また、生理用品の使用者の特定の体の領域に添加剤が供給されることも重要である。したがって、それが達成されるように、生理用品上のあるポジションに添加剤を位置させかつ保持するための手段を有していることが好ましい。加えて、添加剤が、鋭敏な領域である皮膚および／または尿性器領域に供給される場合、供給のための手段は、使用に快適なものであり、かつ不快感を引き起こさないものでなければならない。
【００１５】
したがって、依然として、添加剤を周囲の環境から保護しかつ／または限定された空間に添加剤を保持する、皮膚および／または尿性器領域に添加剤を供給する改善された方法を提供する必要がある。それによって、この添加剤が、輸送および保管中に損なわれないことを確実なものとし、かつさらに、添加剤がそれによって供給されるようになる生理用品の特性が維持されることを確実なものとする。最も重要なことは、製品が、使用者に優しくかつ使用が快適となるようにすることである。さらに、供給デバイスが生理用品と一体的に形成されている生理用品を提供することが望ましい。それゆえ、供給デバイスが、生理用品に供給デバイスを取り付けるための手段を有していることが重要となる。加えて、依然として、さらに効果的でありかつコストのかからない製造工程を提供することが必要とされている。
【先行技術文献】
【特許文献】
【００１６】
【特許文献１】国際公開第92/13577号パンフレット
【特許文献２】国際公開第97/02846号パンフレット
【特許文献３】国際公開第99/17813号パンフレット
【特許文献４】国際公開第99/45099号パンフレット
【特許文献５】国際公開第00/35502号パンフレット
【特許文献６】国際公開第04/060416号パンフレット
【特許文献７】米国特許第2066946号明細書
【特許文献８】欧州特許出願公開第1060240号明細書
【特許文献９】米国特許第4,518,696号明細書
【特許文献１０】国際公開第02/28446号パンフレット
【特許文献１１】欧州特許出願公開第1 035 818号明細書
【特許文献１２】欧州特許第122846号明細書
【非特許文献】
【００１７】
【非特許文献１】Hill他著、「Scand.J.Urol.Nephrol」、１９８４：８６年(増補)、ｐ.２３−２９(Hill et al.,Scand.J.Urol.Nephrol.1984;86(suppl.)23-29)
【発明の概要】
【発明が解決しようとする課題】
【００１８】
本発明の目的は、添加剤を供給するための供給デバイスを備えた生理用品を提供することである。例えば添加剤の漏出および生理用品の機能の損失を防ぎ、かつ／または輸送および保管中の環境から添加剤を保護するために、供給デバイスは、生理用品が使用される前に、添加剤を決められた空間に保持するために使用される。さらに詳しく言うと、この目的は、使用者に優しい供給デバイスを備えた生理用品を提供することであり、このものにおいて、供給デバイスは、供給デバイスの使用者に対してなんらかの不便さをもたらすことなく、かつ製造が容易なものである。他の目的として、供給デバイスを、それを備える生理用品に取り付けるための手段を有する供給デバイスを提供することが挙げられる。
【課題を解決するための手段】
【００１９】
上記目的は、本発明によって、供給デバイスを有する例えば吸収用品または生理用ティッシュなどの生理用品を提供することによって達成される。この供給デバイスは、それぞれ第１の縁部と第２の縁部とによって画定される第１の層と第２の層とを有しており、それらは、封入材料からなり、かつ、添加剤を封入する空間を形成するようになっており、第１の層は、第２の層に対して供給デバイスの使用者に面する面に配置されている。さらに、供給デバイスは、供給デバイスの使用者に面する面における封入材料の第２の層の上に配置されている第３の層を備えており、それによって、第３の層は、封入材料の第２の層の縁部を越えて延在し、かつ実質的にその縁部全体を被覆するようになっている。供給デバイスが使用されるようになるか、または使用されているときに添加剤が露出されるように、封入材料の第１の層は、例えば製品から第１の層が剥がされることによって、もしくは例えば体熱または流体に接触するときに第１の層が破損されることによって除去される。封入材料の第２の層は、使用時にその縁部が、供給デバイスの使用者に面する面における第３の層によって被覆された状態で、生理用品に残留したままとなる。
【００２０】
供給デバイスの第３の層が、供給デバイスの使用者に面する面における封入材料の第２の層の上に配置されており、それによって、第３の層が、封入材料の第２の層の縁部を越えて延在しかつ実質的にその縁部全体を被覆するようになっているため、供給デバイスの使用者は、他の状況では例えば不快感をもたらす供給デバイスの使用者を引っかくことのあるその縁部に接触することから保護される。
【００２１】
加えて、第３の層は、供給デバイスを、それを有する生理用品に取り付けるための手段を備えていてもよい。それによって、供給デバイスは、それを有する生理用品の制限空間に保持され、そして輸送、保管および使用中において適所に位置させることができる。さらに第３の層は、封入された添加剤に隣接するように供給デバイスを取り付けること(他の状況では、添加剤を損失し取り付けのためのさらなる精度を要求することがある)を必要とせず、生理用品に供給デバイスを取り付けるための手段を提供する。さらに第３の層の使用は、例えば、第３の層が同時に複数の機能を提供可能な場合に、それを有する生理用品および吸収用品の製造の容易性およびコストに関して利点を有しており、また第３の層は、例えば吸収用品の上側シートであってもよい。
【００２２】
［規定］
「生理用品」という語は、体液、例えば尿、便および月経液などを吸収しかつ収容するために使用者／着用者の皮膚に対して配置される製品、ならびに皮膚および尿性器領域の洗浄およびケアのために使用され、かつその領域に有益な物質を供給するために使用可能な製品を意味する。本発明は、主に、使い捨て生理用品に関するものであり、それは、洗濯されるか、もしくは他の方法で復元されるか、または使用後に吸収用品として再利用されることを意図されていない用品を意味する。使い捨て生理用品の一例として、湿式ワイプ、乾式ワイプ、女性用衛生用品、例えば生理用ナプキン、パンティライナー、生理用ナプキン、女性用インサートおよびタンポン；幼児および失禁をする成人用のオムツならびにパンツ型オムツ；失禁パッド、；オムツインサートなどが挙げられる。
【００２３】
「吸収用品」という語は、尿、便および月経液などの体液を吸収し、かつ捕捉するために、使用者／着用者の皮膚に対して配置される製品を意味している。使い捨て知り用品の一例として、生理用ナプキン、パンティライナー、生理用パンツ、女性用インサートおよびタンポンなどの女性用衛生用品；幼児および失禁をする成人用のオムツおよびパンツ型オムツ；失禁パッド；オムツ用インサートなどが挙げられる。
【００２４】
「衛生ティッシュ(hygiene tissue)」とは、例えばウォッシュクロス、パッチ、ぬれナプキン、ナプキン、ウェットワイプ、ドライワイプなどの肌を拭くためのデバイスを意味している。
【００２５】
「添加剤」とは、使用される人間、例えば被験者の皮膚および／または尿性器領域に供給されることに関連する物質を意味しているが、この物質は、皮膚鎮静特性だけでなく、プロバイオティクバクテリア、化粧用物質、臭気抑制物質、プレバイオティクスなどに限定されるものではない。
【００２６】
「感湿添加剤」とは、何らかの方法で製品の効果および機能に役立ち、そして例えば保管中に水分の制御不可能なレベルに晒されるときに、その特性が損なわれ得ることを意図された添加剤を意味する。このような感湿添加剤の一例として、感湿性細菌添加剤(例えば乳酸菌)、および臭気抑制添加剤(例えばゼオライトおよびシリカ)が挙げられる。
【００２７】
本明細書における「プロバイオティクス／プロバイオティクバクテリア」とは、宿主に十分な量が与えられるときに健康に関する利点をもたらす、生息する微生物とを意味している。
【００２８】
本明細書において、プレバイオティクスは、宿主に十分な量が与えられたときに、バランスのとれた微生物叢を活性化させる物質である。一例として、プロバイオティクバクテリアのための栄養素、プロバイオティクバクテリアの宿主の癒着を促進する物質、およびｐＨ調整物質が挙げられる。
【００２９】
「水分活性」ａｗは、吸湿性製品内に存在する水分によって生じる蒸気圧の尺度となる。
ａｗ＝ｐ／ｐｓ
ここで、
ｐ：特定の温度での、製品の表面における水蒸気の分圧
ｐｓ：上記ｐと同じ温度での、飽和圧力もしくは純水上の水蒸気の分圧
水分活性は、水分含有量の活性部分、もしくは通常の状況下で、製品とその環境との間で交換され得る一部を反映する。水分活性は、一般に、平衡状態の静的条件下で規定される。そのような条件下で、製品の表面における水蒸気の分圧(ｐ)は、製品の隣接環境における水蒸気の分圧と等しい。製品とその環境との間の水分の交換は、それらの二つの分圧間の違いによってなされる。
【００３０】
「水蒸気不透過」材料層とは、材料層からなる供給デバイスが、供給デバイス内に存在する活性感湿添加剤の特性が実質的に保たれている状態を超える水分が流入不可能なほど高い不透過性を有する材料層を意味する。これは、供給デバイスが、３７.８℃(華氏１００度)および９０％の相対湿度におけるＡＳＴＭＥ３９８−８３に基づく６ｇ/ｍ２/２４ｈ、好ましくは最大で４ｇ/ｍ２/２４ｈ、さらに好ましくは最大で２ｇ/ｍ２/２４ｈ、より好ましくは最大で１ｇ/ｍ２/２４ｈ、最も好ましくは最大で０.１ｇ/ｍ２/２４ｈの最も高いＷＶＴＲ(水蒸気透過度)を有することができることを意味する。また、使用される材料層は、好ましくは包装日後、２３℃(華氏７３.４度)および５０％の相対湿度において、少なくとも６ヶ月、好ましくは９ヶ月間、最も好ましくは少なくとも１２ヶ月間、添加剤がその効果を保持するように感湿添加剤を保護する。
【００３１】
ＷＶＴＲ(水蒸気透過度)に関して言及されたデータおよび値は、標準ＡＳＴＭＥ３９８−８３に基づく不飽和の値に対応しており、それは一般に、この領域において使用されており、かつ当業者には公知である。
【００３２】
本明細書における「縁部」とは、部材の外側の境界部を意味しており、例えば第２の層については以下に説明する。
【００３３】
本明細書において、「上側シート」とは、吸収用品の使用者に面する層を意味している。本明細書において、使用者に面する側における吸収用品の上側シート状にさらなる層、例えば供給デバイスが配置されているが、これは「上側シート」とは考えない。ただし、以下に述べる好ましい実施形態において、供給デバイスの第３の層は、吸収用品の上側シートとして機能してもよい。
【図面の簡単な説明】
【００３４】
【図１ａ】吸収用品の側面図である。
【図１ｂ】吸収用品の平面図である。
【図２ａ】本発明の供給デバイスの好ましい一実施形態の側面図である。
【図２ｂ】本発明の供給デバイスの好ましい一実施形態の平面図である。
【図２ｃ】第３の層が吸収用品の上側シートとなっている状態の、図２ａに示す実施形態の変形例を示す。
【図２ｄ】第３の層が吸収用品の上側シートとなっている状態の、図２ｂに示す実施形態の変形例を示す。
【図３ａ】第３の層が封入材料の第１の層と第２の層との間に配置された状態の、本発明の供給デバイスの好ましい実施形態の側面図を示す。
【図３ｂ】第３の層が封入材料の第１の層と第２の層との間に配置された状態の、本発明の供給デバイスの好ましい実施形態の平面図を示す。
【図３ｃ】第３の層が吸収用品の上側シートにもなっている状態の、図３ａの実施形態の変形例である。
【図３ｄ】第３の層が吸収用品の上側シートにもなっている状態の、図３ｂの実施形態の変形例である。
【図４ａ】第３の層が封入材料の第１の層と第２の層との間に形成された空間を通って延在している状態の、本発明の供給デバイスの好ましい実施形態の側面図である。
【図４ｂ】第３の層が封入材料の第１の層と第２の層との間に形成された空間を通って延在している状態の、本発明の供給デバイスの好ましい実施形態の平面図である。
【図４ｃ】第３の層が吸収用品の上側シートにもなっている状態の、図４ａの実施形態の変形例である。
【図４ｄ】第３の層が吸収用品の上側シートにもなっている状態の、図４ｂの実施形態の変形例である。
【図５ａ】供給デバイスが吸収用品の上側シートにおける開口部に配置されており、かつ結果的に第３の層が上側シートの中央部を構成している状態の、本発明の供給デバイスを備える吸収用品の好ましい実施形態の側面図である。
【図５ｂ】供給デバイスが吸収用品の上側シートにおける開口部に配置されており、かつ結果的に第３の層が上側シートの中央部を構成している状態の、本発明の供給デバイスを備える吸収用品の好ましい実施形態の平面図である。
【発明を実施するための形態】
【００３５】
本発明は、快適さが改善され、かつ供給デバイスの構成に有利となる(例えば製造において有利となる)スキンケア剤、臭気抑制物質、およびプロバイオティクバクテリアなどの皮膚および／または尿性器領域に添加剤を供給するための供給デバイスを備える生理用品に関するものである。供給デバイスは、吸収用品(例えば生理用ナプキン、パンティライナー、オムツ、失禁ガード)および体液を吸収し、皮膚を清潔にすると同時に添加剤を除去することに適した衛生ティッシュの生理用品に配置される。そのため、さらに本発明は、輸送、保管および使用中に供給デバイスが適所に保持されるよう、供給デバイスを生理用品に取り付けるための手段を提供する。上述したようにさまざまな理由により、そうした添加剤は、多くの場合、輸送および保管中に、添加剤が供給される用品から隔てられていることが必要とされている。
【００３６】
図１には、上側シート５５と、吸収構造体６０と、裏側シート６５とを備える吸収用品５０が示されている。使用者に面する側において、吸収用品５０の上側シート５５の上に配置されている付加的な層は、本明細書において「上側シート」とは考えない。ただし、以下に説明する好ましい実施形態においては、供給デバイスの第３の層が、吸収用品５０の上側シート５５として機能してもよい。
【００３７】
図２には、本発明の供給デバイスの第１の実施形態を示す。また、図２には、供給デバイス１を有する吸収用品５０を示す。たとえ図２ａおよび図２ｂに、吸収用品５０に配置された供給デバイスが例示的に示されても、この実施形態および以下の実施形態における供給デバイスは、もちろん、上述したように他の生理用品に配置されることが意図されたものであってもよい。さらに図２ａおよび図２ｂにおいて、供給デバイスが、当業者であればすでに知っているように使用者の面する側において吸収用品５０の上側シート５５に配置された場合でも、代わりに、供給デバイス１を吸収用品５０に配置することも可能である。以下、さらに典型的であり、かつ限定的なものではない吸収用品５０における供給デバイス１の配置方法について説明する。
【００３８】
図２には、第１の層５および第２の層１０を備えた封入材料を有する供給デバイス１を示すが、第１の層５は第１の縁部４５によって画定されており、かつ第２の層１０は第２の縁部３５によって画定されている。第１の層５は、第２の層１０に対して、供給デバイス１の使用者に面する側に配置されている。好ましくは、第１の層５と第２の層１０とは、それぞれの縁部に沿って互いに封止されている。封入材料の第１の層５および第２の層１０は、円形状、矩形状および長方計上または不規則な形状などの適切な形状を有している。封入材料の第１の層５と第２の層１０とは、同じ材料から形成されても、あるいは異なる材料から形成されてもよい。第１の層５および／または第２の層１０は、好ましい一実施形態においては、水蒸気不透過性を有しているが、封入材料の第１の層５および第２の層１０の両方が、水蒸気不透過性を有していることがさらに好ましい。
【００３９】
封入材料の第１の層５および／または第２の層１０は、金属箔殻形成できる。そうした金属箔の好ましい一例として、アルミニウムホイルが挙げられる。金属箔は、好ましくは少なくとも２μｍ、さらに好ましくは５〜２０μｍ、最も好ましくは６〜１２μｍの厚さを有している。
【００４０】
封入材料の第１の層５および／または第２の層１０は、さらに、ポリマー材料からなっていてもよい。ポリマーフィルムは、ポリエチレン、ポリプロピレン、ポリエステル、ポリ塩化ビニル、ポリニ塩化ビニル、環状オレフィンコポリマー、コポリマーおよびこれらの混合物、金属化ポリオレフィン、ならびにセラミックバリアを備えたプラスチックラミネートからなる群から選択されたものである。
【００４１】
あるいは、封入材料の第１の層５および／または第２の層１０は、ポリマー材料からなるラミネートである。
【００４２】
さらに封入材料の第１の層５および／または第２の層１０は、金属箔のラミネートならびにポリマー材料および／またはワックスからなっていてもよい。さらなる態様において、ラミネートは、少なくとも三つのラミネート層を備えている。
【００４３】
本発明のラミネートは、例えば、外部保護層として位置させられるよう意図された耐摩擦性保護層と、水蒸気不透過性中間層と、添加剤(場合によっては感湿添加剤)に面する内側封止層とを有する三層ラミネートであってもよい。そうしたラミネートは、好ましくは１０〜４００μｍの、さらに好ましくは２０〜２００μｍの厚さを有している。
【００４４】
供給デバイス１の位置実施形態において、ポリマー材料およびワックスは、添加剤に面する内側ラミネート層を形成している。他の実施形態において、ポリマー材料は、添加剤とは反対側に面する外部ラミネートを形成している。供給デバイス１のさらに他の実施形態においては、内側ラミネートと外側ラミネートとの両方が、ポリマー材料および／またはワックスによって形成されている。
【００４５】
上記ポリマー材料は、少なくとも部分的に、本発明の使用に適した一つ以上のポリマーから形成可能であり、ポリマーは、ポリエチレン、ポリプロピレン、ポリエステル、ポリエチレンテレフタレート、ポリ塩化ビニル、ポリニ塩化ビニル、環状オレフィンコポリマー、ポリオレフィン、金属化ポリオレフィン、エチレンビニルアセテートコポリマー、エチレンエチルアクリレートコポリマー、エチレンブチルアクリレートコポリマー、ポリアミド、ポリビニルアルコール、でんぷん由来のポリマー、ポリ乳酸、イオノマー、コポリマー、およびこれらと同様のポリマー、ならびにその混合物からなる群から選択されるものである。
【００４６】
良好な水蒸気バリア特性を備えるポリマー材料は、ポリエチレン、ポリプロピレン、ポリエステル、ポリ塩化ビニル、ポリ二塩化ビニル、環状オレフィンコポリマー、金属化ポリオレフィン、およびセラミックバリアを備えたプラスチックラミネートである。
【００４７】
アルミニウム箔、酸化アルミニウムまたは酸化シリコンなども同様に、封入材料の製造に適した材料である。本発明のラミネートに適切に使用可能な他の材料として、セラミックバリアを備えたプラスチックラミネート、ワックス、紙、塗料、および接着剤が挙げられる。
【００４８】
ラミネートへの使用に適切なワックスとして、プラントワックス、ミネラルワックス、アニマルワックス、シリコーンワックスおよびそれらの混合物が挙げられる。
【００４９】
封入材料の第１の層５および／または第２の層１０は、さらに、酸化金属層および／または酸化シリコン層からなってもよい。さらに好ましくは、酸化金属層は、酸化アルミニウム層である。
【００５０】
水蒸気不透過性を有する封入材料の第１の層５および／または第２の層１０を形成することを意図された材料は多くの場合、高価であり、かつ好ましくは、所望の強度特性が維持されている一方で、可能な限り薄手の材料層が使用される。良好な耐摩擦性を有しかつしっかりと密閉可能な封入材料を製造するために、(上で決めたように)安価な材料を耐摩擦性外側層として、かつ／または内側密閉層として使用してもよい。例えば、封入材料は、封入材料の第１の層５と第２の層１０との間の良好な封止を形成可能とする内側ラミネート層(当該材料の一例として例えばポリオレフィン、例えばポリエチレンおよびポリプロピレン、ポリアミド、イオノマーまたはワックスが挙げられる)と、良好な水蒸気不透過性を有する材料からなる中間ラミネート層(当該材料は、アルミニウム、酸化アルミニウム、酸化シリコン、ポリエチレン、ポリプロピレン、ポリエステル、ポリ塩化ビニル、ポリ二塩化ビニル、環状オレフィンコポリマー、ポリオレフィン、金属化ポリオレフィン、ポリアミド(ナイロン)、またはセラミックバリアを備えたプラスチックラミネートからなる)と、耐摩擦性外側層(例えばポリエステル、ポリエチレンまたはポリプロピレンなど)とを含む。封入材料は、さまざまな層からなる１から１０のラミネート層から形成されてもよい。ラミネートの非限定的な例として、ALCAN Packaging Cramlington Ltdから市販されているCeramis(登録商標)、高バリアアルミニウムラミネートおよび高バリアアルミニウム−フリー層が挙げられる。
【００５１】
封入材料の第１の層５(および／または特に後で述べる場合においては、第２の層１０)は、後述するように層の破壊によって除去されるようになっており、第１の層５(および／または第２の層１０)に適切な材料として、例えばポリビニルアルコールポリ乳酸およびでんぷん由来のフィルムなどの水溶性フィルム、ならびに脂溶性フィルムが挙げられる。
【００５２】
封入材料の第１の層５と第２の層１０とは、封入材料の第１の層５と第２の層１０との間に形成される空間２０に添加剤を封入する。封入材料の第１の層５と第２の層１０とが添加剤１５を封入するため、添加剤１５は、使用前に、供給デバイス１における適所に留められる。さらに添加剤１５は、供給デバイス１の使用前に添加剤１５を損ねる可能性のある周囲の環境の影響、湿った状況または乾燥した状況などにさらされることから保護されている。さまざまなタイプの添加剤１５を、さまざまな環境の影響から保護する必要がある。特定の添加剤１５に応じて、封入材料の第１の層５と第２の層１０との材料を、適切にさまざまに選択することができる。例えば、プロバイオティクスまたは臭気抑制物質などの感湿添加剤は、水分から保護される必要があってもよく；オイルなどの疎水性物質は、酸化から保護される必要があってもよく；芳香剤および香料は、気化から保護される必要があってもよく；かつ、感光添加剤は、光から保護される必要があってもよい。加えて、上述したように、疎水性物質を備える添加剤は、生理用品の液体吸収特性を損ねる可能性があるため、輸送および保管中に、そうした添加剤が製品上に拡散することを防ぐ必要がある。添加剤の保護を設けるという上記目的は、本発明の供給デバイス１によって達成される。
【００５３】
供給デバイス１によって供給される添加剤１５は、対象物にもたらすことが望ましい健康および衛生状態の改善に関連する何らかの物質、例えば皮膚および／または尿性器領域に有益な効果を有する物質もしくは皮膚および／または尿性器領域の見た目を良くする物質などを備えていてもよい。好ましい一例においては、添加剤１５はローションおよびオイルなどのスキンケア剤からなる。他の好ましい例においては、プレバイオティクス、すなわち宿主に十分な量が与えられると、バランスのとれた微生物叢を増殖させる物質を含んでいる。プレバイオティクスの一例として、プロバイオティクバクテリアのための栄養素、プロバイオティクバクテリアに関する宿主の癒着を促進させる物質、ｐＨ調整物質が挙げられる。好ましい添加剤の他の例として、クエン酸バッファ(buffered citric acid)などのｐＨ調整物質、カルバミドなどの湿度安定化物質、アロエベラなどの植物性物質、スコルビン酸などの抗酸化剤、ビタミン、皮膚鎮静物質、およびオリーブオイルなどの疎水性物質が挙げられる。さらに、細菌性感染症に対処するためにＺｎＯ(酸化亜鉛)などの抗菌性物質、および抗カビ物質などを使用することも好ましい。好ましい添加剤の一例として、さらに、快適さおよび満足度のための添加剤、例えば冷却物質、かゆみ止め物質および芳香性物質が挙げられる。
【００５４】
他の好ましい例では、添加剤１５は、臭気抑制物質を含んでいる。そうした臭気抑制物質は、ゼオライトおよびシリカが好ましい。
【００５５】
好ましい実施形態において、供給デバイス１における添加剤１５は、プロバイオティクバクテリアを含んでいる。好ましくは、そうしたプロバイオティクバクテリアは、例えばラクトバシラス属、ラクトコッカス属、およびペディオコッカス属などのバクテリアを生じる乳酸菌である。さらに好ましくは、バクテリアを生じる乳酸菌は、ラクトバシラス属の菌、例えば乳酸杆菌、ラクトバチルス・ラムノサス、ラクトバチルス・ファーメンタム、ラクトバチルス・アシドフィルス、ラクトバシルス・カルバタスまたは植物性乳酸菌である。本発明の好ましい実施形態において、供給デバイスは、尿性器領域に移動されかつそこにおいて作用可能であることが明らかとなった植物性乳酸菌 931を含んでいる(Deutsche Sammlung von Mikroorganismen und Zellkulturen GmbHにおいて析出されかつ登録番号DSM 11918が付与されている。特許文献８参照)。さらに、植物性乳酸菌 931は、他の微生物の成長を妨げ、それによってプロバイオティクバクテリアとして有効な特性を示すようになることも開示されている。
【００５６】
プロバイオティクバクテリアは、好ましくは乾燥されたバクテリア、例えば冷却乾燥、スプレー乾燥、または空気乾燥がなされたバクテリアであってもよい。
【００５７】
供給デバイス１は、供給デバイス１当たりのプロバイオティクバクテリアの、好ましくは１０４から１０１１のコロニー形成単位(ｃｆｕ)を、さらに好ましくは１０６から１０１０ｃｆｕを、より好ましくは１０８から１０１０ｃｆｕを備えている。
【００５８】
供給デバイス１の添加剤１５は、さらに、一つ以上の薬学的に使用可能なキャリア、賦形剤および／または希釈剤を含んでいてもよい。一般的に、そうした薬剤は、その濃度および一回分の適用量において、受容体に無毒性のあるものでなければならない。そうした薬剤の一例として、バッファ、例えばグリセリン、ポリエチレングリコール、抗酸化剤(例えばスコルビン酸)、ゲル形成剤の増粘剤、低分子量(約１０残基未満)のポリペプチド、プロテイン、グルコースを含む炭水化物、ショ糖およびデキストリンが挙げられる。薬剤キャリアの一例として、砂糖、例えばラクトース、グルコース、スクロースおよびトレハロース；スターチ、例えばコーンスターチおよびジャガイモでんぷん；セルロースおよびその派生物、例えばナトリウムカルボキシメチルセルロース、エチルセルロースおよびセルロースアセテート；トラガント末、モルト；ゼラチン；ペクチン；タルク；ステアリン酸；ステアリン酸マグネシウム；硫酸カルシウム；ポリオール、例えばプロピレングリコール、グリセリン、ソルビトール、マンにトール、およびポリエチレングリコール；寒天；アルギン酸；発熱性物質を含まない水；生理食塩水；ならびにバッファ溶液が挙げられる。
【００５９】
プロバイオティクバクテリアに薬学的に使用可能なキャリアの好ましい例として、砂糖および天然でんぷんが挙げられる。さらに、細菌増殖のための栄養素、例えばアミノ酸、ペプチド、核酸派生物、ビタミン、脂肪酸、グルコース、フルクトース、リボース、マルトースおよびラクトースが、添加剤１５の中に、一つのみで、もしくはさまざまな組み合わせで設けられていてもよい。
【００６０】
好ましくは、プロバイオティクバクテリアは、供給デバイス１の使用者にバクテリアの供給を向上させるキャリアを混合されていてもよい。そうしたキャリアの一例として、ワセリンなどの粘性剤、オイルまたはワックスが挙げられる。そうしたキャリアは、好ましくは、プロバイオティクバクテリアを備えない添加剤を有する供給デバイス１に含まれていてもよい。
【００６１】
好ましくは、無水環境をもたらす疎水性キャリアを、例えば、プロバイオティクバクテリアなどの感湿添加剤のためのキャリアとして使用することもできる。そうした無水環境は、製造中、輸送中および保管中にバクテリアの生存期間を延長する(特許文献８；特許文献１；特許文献１０参照)。
【００６２】
疎水性キャリアの一例として、石油由来の脂質(lipid)を含む脂質キャリア、例えば流動パラフィン(ミネラルオイル、パラフィンオイルおよびワセリンオイル)、ペトロラタム(ワセリンおよび鉱油)、ミクロ結晶状蝋、オゾケライト、セレシンならびにパラフィンが挙げられる。あるいは、合成脂質、例えばジメチコーン、シクロメチコンおよびシリコーンエステルが使用可能である。さらに他の変形例として、一般的にトリグルセリドである植物由来の脂質を使用することもできる。植物由来の脂質は、多くの場合、モノグリセリド、ジグリセリド、およびトリグルセリドの混合物であり、かつ脂肪酸を含んでいない。脂質は、精製されるか、水素化されるか、精錬されるか、または変性させられ、そして単体で、もしくは混合されて使用される。
【００６３】
脂質キャリアは「粘性」を有しているため、脂質キャリアは、(上述したように)使用者に対する添加剤の移行性を高めるという付加的な利点を有している。脂質キャリアの好ましい例として、ミネラルオイル由来の脂質、例えば鉱油が挙げられる。
【００６４】
本発明の供給デバイス１の添加剤１５は、さらに、例えばラウリル硫酸ナトリウムなどの湿潤剤および潤滑剤、ならびに冷却剤、尿素などの減摩剤、安定剤、それに加えて防腐薬を備えていてもよい。
【００６５】
本発明の供給デバイス１は、単一タイプの添加剤、あるいは例えば同じ供給デバイス１の中にプロバイオティクバクテリアと臭気抑制物質とを有するような複合タイプの添加剤を備えていてもよい。
【００６６】
一実施形態において、添加剤、場合によっては一つ以上の薬学的に使用可能なキャリア、賦形剤および／または希釈剤を含む添加剤は、例えば不織布からなる材料または第３の層に適した以下に記述する材料の中に、あるいはその上に配置され、続いてそれは、封入材料の第１の層５および第２の層１０によって形成される空間内に配置される。この付加的な材料は、添加剤のためのキャリアとして機能する。このタイプのキャリアが使用されてもよいが、例えば添加剤の粘度が低い場合に使用されるのが好ましい。
【００６７】
供給デバイス１は、供給デバイス１の使用者に面する側３０(使用者の方向は矢印３０によって示されている)における封入材料の第２の層１０の上に配置される第３の層２５をさらに備えている。第３の層２５は、封入材料の第２の層１０の上に配置されており、それによって、それが供給デバイス１の使用者に面する側３０における封入材料の第２の層１０の縁部全体に実質的にわたって被覆するように、供給デバイスへ向かう方向ならびに供給デバイスから離れる方向の両方へ向かって封入層の縁部３５を越えて延在している。第３の層２５のサイズ、形状ならびに材料は、それが使用者３０に面する側において、封入材料の第２の層１０の縁部を越えかつ実質的にその全体にわたって被覆するのであれば、重要ではない。その縁部の好ましくは少なくとも７０％が、さらに好ましくは８０％が、より好ましくは９０％が、最も好ましくは１００％が、第３の層によって被覆されている。第３の層は、供給デバイス１から離れる方向に、封入材料の第２の層１０の縁部３５の外側に少なくとも１.５ｍｍ、さらに好ましくは少なくとも５ｍｍ、最も好ましくは少なくとも１０ｍｍ延在していることが好ましい。供給デバイス１が使用される場合に、封入材料の第２の層１０の剥離を十分に防止するためには、５ｍｍとすることが考えられる。第３の層２５が少なくとも１０ｍｍ延在している場合、これによって、供給デバイス１を第３の層２５を介して生理用品に取り付けることが可能となる。最終的に、第３の層２５が封入材料の第２の層１０の縁部３５の外側に少なくとも２５ｍｍ延在している場合、その広がりは、供給デバイス１が第３の層２５を介して生理用品に取り付けられるときに、後述するような取り付け方法による添加剤への影響を避けるのに十分である。好ましくは、供給デバイス１へ向かう方向において、第３の層２５は、第２の層１０の使用者からの剥離を防ぐために少なくとも１.５ｍｍ延在しており、かつさらに第３の層２５の第２の層１０への取り付けのための手段を設けるために、より好ましくは２ｍｍ延在している。
【００６８】
第３の層２５は、好ましくは、多孔質の／穿孔された材料を備えていてもよい。好ましい多孔性剤量の一例として、不織布、ワッディングまたはフィルターフォームが挙げられる。あるいは、好ましくは、第３の層２５は、プラスチックフィルム、例えばポリエチレンフィルム、ポリプロピレンフィルム、および／またはその混合物、および／またはポリエチレンとポリプロピレンとのラミネートを備えている。好ましくは、プラスチックフィルムは、穿孔されているか、もしくは多孔性のものであってもよい。
【００６９】
図２ｃ〜図２ｄに示すこの実施形態の好ましい一変形例において、供給デバイス１を備えた吸収用品５０に関して、第３の層２５は、上側シート５５に置き換えられており、それによって、上側シート５５および第３の層２５として機能するようになっている。
【００７０】
供給デバイス１が使用されるようになるか、または使用されている場合、封入材料の第１の層が取り除かれ、それによって、添加剤１５が露出される。封入材料の第１の層５は、供給デバイス１から第１の層を剥がすかまたは引裂くことによって取り除かれてもよい。代わりに、第１の層５は、体の熱または体液によって溶ける材料を備えていてもよく、それによって、供給デバイス１が使用される場合に破損される。本明細書において、「取り除く」とは、封入材料の第１の層１０の実際的な除去および封入材料の破損を意味するよう用いられている。
【００７１】
供給デバイス１における第３の層２５の使用は、いくつかの利点を有している。第３の層２５が、供給デバイス１の使用者に面する側３０における封入材料の第２の層の縁部３５を越えて延在しかつそれによって縁部３５を実質的にその全体にわたって被覆するように封入材料の第２の層１０の上に配置されているため、供給デバイス１の使用者は、供給デバイスの使用時に封入材料の第２の層１０の縁部３５に接触することから保護される。この重要な特徴は、以下の実施例すべてに存在する。これによって、他の状況では損傷しかつ供給デバイス１の使用者に不快さおよび不便さをもたらす可能性のある封入材料の第２の層１０の縁部３５は、使用者から隠されるようになる。
【００７２】
さらに、すべての実施形態において、第３の層２５は、供給デバイス１を備える生理用品に供給デバイス１を取り付けるための手段を提供できる。好ましくは、第３の層２５は、例えば超音波溶着、接着剤、縫い合わせ、ならびに温間および／または冷間シーリングによって、生理用品に取り付け可能である。この場合、封入材料の第２の層１０は第３の層に取り付けられることが好ましい。
【００７３】
さらに、第３の層２５は、添加剤１５を封入する封入材料の第１の層５および／または第２の層１０を介して供給デバイスを取り付けることを必要とせず、生理用品に供給デバイス１を取り付けることを可能とする。それによって、添加剤１５は、添加剤に用いられる例えば超音波溶着または熱溶着などの生理用品に供給デバイスを取り付けるための方法が及ぼす悪影響にあまりさらされなくなる。さらに、第３の層２５は、供給デバイスを生理用品と第３の層２５とへ取り付ける場合に精度があまり要求されないよう、供給デバイス１の領域を増大させ、それによって、それを備える生理用品に供給デバイス１を取り付ける工程が容易となる。
【００７４】
それを備える用品に供給デバイス１を取り付けることによって、供給デバイスが、封入材料自身を介してではなく、第３の層２５を介して製品に取り付けられる場合に、供給デバイス１全体は、封入材料の第１の層５の除去時に用品から剥離される可能性が低減される。
【００７５】
供給デバイス１を備える生理用品への供給デバイス１の取り付けは、さらに、それが生理用品の使用者の体の好ましい領域に接触するように用品上に添加剤が位置させられることを確実なものとする。例えば、吸収用品を介して膣領域に添加剤が供給することが望まれた場合、供給デバイス１は、使用時に使用者の膣領域に接触するようになる吸収用品５０の部分の吸収用品における第３の層２５を介して取り付けられる。続いて、供給デバイス１は、輸送、保管中および使用中の両方の間で、このポジションに位置させられている。
【００７６】
第３の層２５は、例えば超音波溶着、熱溶着、温間シーリング、低温での温間シーリング、冷間シーリングまたは接着剤によって好ましくは、封入材料の第２の層１０の使用者に面する側３０における封入材料の第２の層１０に取り付けられてもよい。
【００７７】
好ましくは、封入材料の第１の層５および第２の層１０は、添加剤を封入する空間２０を形成するよう封止部４０によって、互いの縁部に沿ってともに封止されている。重要なことに、第１の層５が、供給デバイス１の使用時に破損される材料から形成されていない場合、封止部４０は、封入材料の第１の層５が剥離可能となるように構成されていなければならない。適切な封止方法は、例えば超音波溶着、温間シーリング、低温での温間シーリング、または冷間シーリングである。冷間シーリングおよび低温での温間シーリングの場合、例えばポリエチレンエチルアクリラート、ポリエチレンビニルアセテート、またはワックスなどの封止層が封入材料の封止側に取り付けられていてもよい。この封止層は、封止部が設けられる場所、いわゆる辺縁コーティング全体に、またはそれのみに取り付け可能である。
【００７８】
封入材料の第１の層５および第２の層１０は、封止部４０を形成するために互いに接着剤で封止されていてもよい。
【００７９】
添加剤１５が、封入材料の第１の層５および第２の層１０によって形成された空間２０に封入されており、感湿添加剤である場合、空間２０内への水分の侵入の防止を確実なものとするため、封入材料の第１の層５および第２の層１０が、緊密な密閉状態をもたらすように完全に閉じられていることが重要であり、それによって、ＷＶＴＲは、３７.８℃(華氏１００度)および９０％の相対湿度におけるＡＳＴＭＥ３９８−８３に基づいて測定すると、封入材料の第１の層５と第２の層１０との間の封止部にわたって測定した(場合によってはその中間に第３の層が保持されている)ときでさえ、６ｇ/ｍ２/２４ｈ、好ましくは最大で４ｇ/ｍ２/２４ｈ、さらに好ましくは最大で２ｇ/ｍ２/２４ｈ、より好ましくは最大で１ｇ/ｍ２/２４ｈ、最も好ましくは最大で０.１ｇ/ｍ２/２４ｈの最も高いＷＶＴＲ(水蒸気透過度)となる。
【００８０】
封入材料の第１の層５と第２の層１０との間の封止部４０の幅ならびに第１の層５および第２の層１０の材料の選択は、それらの層の間の空間に水蒸気が拡散するのに要する時間に影響を与えることとなる。必要とされる封止部の幅は、もちろん、上記所望のＷＶＴＲを得るために変更されるようになっている。特定の封入材料および特定の封止部に関するＷＶＴＲの測定方法は、当業者には公知となっている。したがって、当業者であれば、所望のＷＶＴＲを得るために封止部４０の必要とされる幅を決定できる。封止部の特定の幅は、揮発性添加剤、例えば香水または乾燥に敏感な添加剤を輸送および保管中の損失から保護するために必要とされる。感湿性を有していないか、あるいは他の状況で輸送または保管中に周囲の環境からの保護を必要とする添加剤１５に関しては、封止部の幅は重要ではない。
【００８１】
いくつかの実施形態において、封入材料の第１の層５と第２の層１０とは、１〜２０ｃｍの、好ましくは２〜１５ｃｍの、最も好ましくは３〜１０ｃｍの長さを有し、かつ０.５〜１０ｃｍの、好ましくは１〜８ｃｍの、最も好ましくは２〜５ｃｍの幅を有していてもよい。封入材料の第１の層５と第２の層１０との幅および／または長さは、それぞれ、その長さおよび／または幅に沿って変更可能である。封入材料の第２の層１０の縁部３５からの保護を提供しかつ供給デバイス１をそれを備えた用品に取り付けるための手段を提供するために、第３の層２５のサイズおよび形状は、常に、上述したように封入材料の第２の層１０の縁部３５を越えて延在し、かつそれによって実質的にその全体を被覆するように選択する必要がある。
【００８２】
図３には、上述したように、吸収用品５０によって例示された生理用品に配置された供給デバイス１の代替的な実施形態を示す。
【００８３】
この実施形態において、第３の層２５は、封入材料の第１の層５および第２の層１０の間に配置されている。また、第３の層２５は、この実施形態において、供給デバイス１の使用者に面する側３０における封入材料の第２の層１０の縁部３５を越えて延在し、かつそれによって実質的にその縁部全体を被覆するようなサイズになされ、かつそのように配置されている。これにより、さらにこの実施形態において、供給デバイスの使用者は、封入材料の第２の層１０の縁部３５への接触から保護され、かつ第３の層２５は、供給デバイスをそれを備えた用品に取り付けるための手段を提供する。封入材料の第２の層の縁部３５に対する封入材料の第１の層５の縁部４５のポジションは、第３の層２５を第１の層と第２の層との間の広がりに位置させることが可能であれば、重要ではない。場合によっては、第３の層２５は、封入材料の第１の層５と第２の層１０との間に形成された空間２０内への広がりへとさらに延在していても、延在していなくともよい。好ましくは、第３の層２５は、少なくとも封入材料の第２の層１０に取り付けられている。さらに好ましくは、第３の層２５は、例えば超音波溶着、温間シーリング、低温での温間シーリング、冷却シーリング、または接着剤によって、封入材料の第１の層５と第２の層１０とともにこの二つの層の間で互いに封止されている。
【００８４】
また、この実施形態における好ましい変形例では、図３ｃ〜図３ｄに示すように、供給デバイス１を備えた吸収用品５０において、第３の層２５は上側シート５５と取り替えられる、すなわち、第３の層２５は吸収用品５０の上側シート５５にもなる。
【００８５】
図４には、上述したように、吸収用品５０によって例示された生理用品に配置された供給デバイス１の好ましい実施形態である、他の代替例を示す。
【００８６】
この実施形態において、第３の層２５は、代わりに、封入材料の第１の層と第２の層１０と配置され、かつ供給デバイス１の実質的に全体に延在している。好ましくは、封入材料の第１の層５および／または第２の層１０は、その間にある第３の層２５とともに封止されている。第３の層２５は、封入材料の第１の層５と第２の層１０との間に形成された空間２０のほぼ全体に延在していることが好ましい。ただし望まれる場合には、第３の層２５は、それにおいて、さらに封入材料の第１の層５と第２の層１０との間に形成された空間２０の一部において、第３の層２５にわたって対照的または非対象的に位置させられているホール、切り込み、またはスリットを有していてもよい。
【００８７】
図４において、側方から見た場合に、第３の層２５は、封入材料の第１の層と第２の層１０との間に形成された空間２０の中間に配置されている(図４ａ〜図４ｃ)。ただし、第３の層２５が封入材料の第１の層５と第２の層１０との間に形成された空間内２０へと、またはそれを通って延在している実施形態において、第３の層２５は、この空間のどこか、例えば封入材料の第１の層５と第２の層１０との中間部に配置されていても、あるいは封入材料の第１の層５または第２の層１０に隣接するかもしくは(超音波溶着、温間シーリング、低温の温間シーリング、冷間シーリング、または接着剤によって)取り付けられていてもよい。さらに、添加剤１５は、この空間のどこか、例えば第３の層２５に、その上に、またはその下に配置されてもよい。
【００８８】
好ましい実施形態において、添加剤１５は、第３の層の下側に、すなわち封入材料の第３の層２５と第２の層１０との間に配置されている。この実施形態はいくつかの利点を有している。この実施形態において、添加剤１５が、例えば使用時に体液によって流失されるか、または供給デバイス１を摩擦することによって供給デバイス１から除去される可能性が低減される。さらに、第１の層５が供給デバイス１を備える生理用品の使用前に除去される場合、添加剤が、封入材料の第１の層５に固着し、かつ第１の層とともに除去されることが避けられる。また、この実施形態は、例えば溶解しかつ最初の排尿時に使用者に供給される添加剤または体熱によって溶解する添加剤を有することによって、上記事象が起こるまで添加剤が使用者から第３の層２５によって分離されているとき、添加剤１５の開放を制御可能にする。したがって、これによって、必要とされるまで、添加剤１５を供給デバイス１の使用者に供給しないよう制御することが可能となる。この実施形態においては、第３の層２５が、添加剤がそれを介して供給可能となる材料、例えば有孔材料または多孔質材料を備えていることが重要である。
【００８９】
重要なことに、さらにこの実施形態において、第３の層２５は、上述したように、供給デバイス１の使用者に面する側３０における封入材料の第２の層１０の縁部を越えて延在し、かつそれによって実質的にその縁部全を被覆するようなサイズになされ、かつそのように配置されている。好ましくは、第３の層２５は、封入材料の第２の層１０に取り付けられている。さらに好ましくは、封入材料の第１の層５と第２の層１０とは、それらの間における第３の層２５とともに封止されている。
【００９０】
すべての実施形態において、第３の層２５は、封入材料の第１の層５と第２の層１０との間に形成された空間２０へと、部分的にもしくは完全に延在しており、第３の層２５は、添加剤１５のためのキャリアとして機能できるというさらなる利点を有している。添加剤１５は、封入材料の第１の層５と第２の層１０とによって封入される空間２０における第３の層２５の中において、含浸されるか、乾燥されるか、粉状にされるか、あるいは他の方法では第３の層２５の上に、またはその下に配置されてもよい。これは、第３の層材料の製造時に添加剤１５が第３の層２５に含まれてもよいという一つの利点を有している。
【００９１】
さらにこの実施形態では、供給デバイス１を備える吸収用品５０において、第３の層２５は上側シート５５と交換可能である、すなわち、第３の層２５は、図４ｃ〜図４ｄに示すように、吸収用品５０の上側シート５５にもなる。
【００９２】
本発明の供給デバイス１は、上述したように、例えば湿式ワイプ、乾式ワイプ、例えば生理用ナプキン、パンティライナー、生理用パンティ、またはタンポンなどの女性用衛生用品；幼児用または失禁をする成人用のオムツまたはパンツ型オムツ；失禁パッド；オムツ用インサートなどの生理用品の上に／中に配置される。
【００９３】
好ましい一実施形態において、供給デバイス１は、衛生ティッシュ、例えば湿式ワイプまたは乾式ワイプに備えられている。添加剤を供給する衛生ティッシュの使用は、使用時に衛生ティッシュが使用者に接触させられるとき、添加剤が使用者に良好に供給されるという利点を有している。添加剤の供給のために衛生ティッシュに供給デバイス１を配置することによって、衛生ティッシュ全体にわたって添加剤が拡散することが避けられる。ゆえに、衛生ティッシュの使用者は、衛生ティッシュの使用時に、手が添加剤に触れることを避けることができる。例えば、粘性のある添加剤を備える衛生ティッシュを使用するとき、そうした添加剤が手に触れることは望ましくない。さらに、供給デバイスが封入材料の第２の層１０を備えるとき、これによって、添加剤が製品を介して拡散することが防止され、また、ほぼ汚れのない製品がもたらされ、それは、使用を容易にしかつ外観をよりよく見せることをより容易にする。
【００９４】
他の好ましい実施形態において、供給デバイス１は、吸収用品５０の中に／上に配置されている。本発明の吸収用品５０は、通常、使用者に面する液体透過性上側シートと、使用者とは反対側に面する用品の側における液体不透過性裏側シートと、それらの間に封入された吸収構造体とを備えている。液体透過性上側シートは、例えばスパンボンド、メルトブローン、カーデッド、ハイドロエンタングル、ウェットレイドなどによる不織材料から構成されてもよい。適切な不織材料は、例えばウッドパルプまたは綿繊維などの天然繊維、例えばポリエステル、ポリエチレン、ポリプロピレン、ヴィスコースなどの合成繊維、または天然繊維と合成繊維との混合物から構成できる。上側シート材料は、さらに、トウ繊維からなっていてもよく、それは、例えば特許文献１１に開示されているように、結合パターンによって互いに結合可能である。上側シート材料のさらなる例として、多孔質フォーム、開孔されたプラスチックフィルム、不織布層のラミネート、有孔プラスチックフィルムなどが挙げられる。上側シート材料に適した材料は、軟質でありかつ皮膚に刺激を与えないものであり、かつ尿または月経液などの体液が直ちに透過するものであることが望ましい。
【００９５】
液体不透過性裏側シートは、例えばポリエチレンまたはポリプロピレンフィルムなどの薄手のプラスチックフィルム、液体不透過性材料で被覆された不織布、耐液体透過性の疎水性不織布から構成されてもよい。プラスチックフィルムと不織布材料のラミネートも使用できる。裏側シート材料は、液体が裏側シート材料を通過することを防ぐ一方で、吸収構造体から水蒸気を逃すことを可能にするために通気性を有していることが好ましい。
【００９６】
上側シートおよび裏側シートは、吸収構造体よりも平面においてある程度大きな広がりを有しており、かつ突出部を形成するためにその縁部の外側へ延在している。上側シートおよび裏側シートは、例えば、接着剤あるいは熱または超音波による溶着によって突出部の内部で互いに接続されている。上側シートおよび／または裏側シートは、さらに、公知の方法、接着剤あるいは熱または超音波による溶着などによって吸収構造体に取り付けられていてもよい。吸収構造体は、上側シートおよび／または裏側シートに取り付けられていなくてもよい。
【００９７】
使用中に、使用者とは反対側に面する裏側シートの側には、接着剤の形態の固定手段が設けられる。接着剤は、使用者の下着に取り外し可能に取り付けられてもよい。剥離紙が、使用前に粘着領域を保護していてもよい。粘着領域は、例えば縦長のまたは横長の帯片、ドット、前面塗布領域など適切な形態を有している。
【００９８】
吸収用品の他の実施形態において、例えば摩擦留め部材、テープタブ、またはホック−アンド−ループ形状の面ファスナーなどの他のタイプの留め部材を、使用者の下着またはウエストに用品を固定するために使用することができる。ある吸収用品はパンツの形態をしており、そのため特別な固定手段を必要としない。他の場合においては、吸収用品は、さらなる留め部材を必要としない特別な弾性パンツとして着用される。
【００９９】
吸収構造体は従来のものであってもよい。一般的に用いられている吸収材料の一例として、セルロースフラッフパルプ、ティッシュ層、高吸収性ポリマー(いわゆる超吸収体)、吸収フォーム材料、または吸収不織材料などである。吸収構造体が、液体捕捉能力、液体拡散能力および貯留能力に関する異なる特性を備えたさまざまな層を備えることは一般的である。これは当業者には公知のことであるため、詳細には説明しない。現在の吸収用品では一般的な薄手の吸収体は、多くの場合、セルロースフラッフパルプと超吸収体との圧縮された、混合あるいは層状構造体を備えている。吸収構造体のサイズおよび吸収能力は、さまざまな用途、例えば生理用ナプキン、パンティライナー、成人用失禁パッドおよびオムツ、乳児用オムツ、パンツ型オムツなどに適するように変更可能である。
【０１００】
上述しかつ図に示した吸収用品は、非限定的な例証のみを示すものであり、本発明はそれに限定されず、上記吸収用品のいかなるタイプのものにも使用できることを理解されたい。
【０１０１】
上述したように供給デバイス１のすべての実施形態は、さらに以下に説明するように、吸収用品５０の上か、あるいはその下に配置することができる。
【０１０２】
図１〜５には、供給デバイス１を備える吸収用品５０の実例を示す。
【０１０３】
図２ａ〜ｂ、図３ａ〜ｂおよび図４ａ〜ｂのすべてに、吸収用品５０の上側シート５５使用者に面する側に配置されている供給デバイス１の実例を示す。吸収用品５０のこの実施形態(および以下の実施形態)において、供給デバイス１の第３の層２５が、吸収用品５０に供給デバイス１を取り付けることを可能にするようになっている本発明の供給デバイス１のさらなる利点が明らかとなる。例えば、超音波溶着、接着剤、縫い合わせ、または温間／冷間シーリングによって取り付けがなされる。それによって、供給デバイス１は、輸送、保管および使用中に、吸収用品５０の適所に留置される。また、この方法によって、供給デバイスが吸収用品の一部となっている魅力的な見た目の製品が提供される。第３の層を介して供給デバイスが取り付け可能であることの利点を以下でさらに説明する。
【０１０４】
図２ｃ〜ｄ、図３ｃ〜ｄおよび図４ｃ〜ｄのすべてに、供給デバイス１のさまざまな実施形態の代替的な実施例を示すが、このものにおいて、第３の層２５は、上側シート５５と置き換えられており、それによって、上側シート５５の役割も果たすようになっている。
【０１０５】
第３の層２５が吸収用品５０の上側シート５５となっているこの実施形態のさらなる利点は、供給デバイス１を、容易に位置させ、かつ輸送、保管および使用中に適所に留まるように吸収用品５０の適所に取り付けることができるようになることである。また、これらの実施形態は、吸収用品５０の上側シート５５と第３の層２５とが同一層である場合に、実施する必要のある製造ステップがより少なくなるという製造に関する利点を有している。さらに、この実施形態に基づく吸収用品５０の製造は、一つの材料層が吸収用品５０の上側シート５５と第３の層２５との両方の機能を満たすため、よりコストがかからなくなる。加えて、第３の層２５が吸収用品５０の上側シート５５であるため、供給デバイス１が吸収用品５０に取り付けられるとき、添加剤１５を封入する封入材料の第１の層５と第２の層１０と距離をおいて取り付けを実施することができる。それによって、添加剤１５における取り付け方法がもたらし得る悪影響が最小化される。
【０１０６】
あるいは、供給デバイス１を備える吸収用品５０の他の好ましい実施形態に関して、図５には、吸収用品５０の上側シートに切り抜かれた開口部７０の中へ挿入された供給デバイス１を示す。この実施形態において、第３の層２５は、供給デバイス１が配置された吸収用品５０の中央部における上側シートとして機能する。好ましくは、第３の層２５は、輸送、保管および使用中に吸収用品５０の適所に供給デバイス１が保持されるように、例えば超音波溶着、接着剤、縫い合わせ、または温間／冷間シーリングによって、上側シート５５の下側における吸収用品５０の上側シート５５に、すなわち吸収用品５０の吸収構造体６０に面する上側シート５５の側に取り付けられてもよい。供給デバイス１を有する吸収用品５０の使用者に面する側は、使用者の方向を示す矢印３０によって示されている。図５には、第３の層２５が供給デバイス１を通って延在するようになっている状態の、吸収用品５０の上側シートにおける開口部に配置されている供給デバイス１を示す。ただし、当業者であれば直ちに理解するように、他の実施例では、本明細書に開示されている供給デバイス１は、もちろん、この方法によって吸収用品５０に配置されていてもよい。
【０１０７】
供給デバイス１の製造に関して、第３の層２５は、連続ウェブの形態であってもよい。これは、吸収用品を製造するための現在の機械が材料の連続ウェブを扱うことに適応しているため、利点となる。供給デバイス１は、連続ウェブ、すなわち第３の層２５の各側部における封入材料の取り付けによって連続ウェブに形成される。この組み立て作業は、上記機械の高い製造速度とは独立して、別々の工程ステップにおいてなされてもよい。
【０１０８】
第３の層２５が連続ウェブの形態となっている供給デバイス１は、吸収用品における上側シートの載置に関する標準技術を使用することで図２ｃ〜ｄ、図３ｃ〜ｄおよび図４ｃ〜ｄに基づく吸収用品を形成するか、あるいは特許文献１２に開示されているスリップおよび切断工程によって図２ａ〜ｂ、図３ａ〜ｂ、図４ａ〜ｂおよび図５ａ〜ｂに基づく吸収用品を形成する他の構成要素とともに組み立てることができる。
【０１０９】
図示していない他の実施形態において、供給デバイスは、吸収用品５０の吸収構造体６０の内部に配置されてもよい。重要なことに、この実施形態において、封入材料の第１の層５および／または第２の層１０は、供給デバイスを備える吸収用品の使用中に破損する材料を具備しなければならない。また、この実施形態において、第３の層２５は、吸収用品５０への供給デバイスの取り付けを可能とするという利点を有している。
【０１１０】
本明細書に開示されている供給デバイス１と吸収用品５０とはさらなる利点を備えており、それは、添加剤１５が使用前またはその間に吸収用品５０に対して漏出し、それによって例えば吸収用品５０の上側シート５５および／または吸収構造体６０の機能を損ねることを防ぐことである。
【０１１１】
生理用品は、少なくとも一つの供給デバイス１、例えば一つ、二つあるいは三つの供給デバイスを備えている。吸収用品５０が複数の供給デバイス１を備えている場合、それらは、長手方向に離間して位置させられることが好ましい。また、生理用品が複数の供給デバイス１を備えている場合、異なる供給デバイス１は、同じ添加剤１５、あるいはさまざまな添加剤１５を備えることができる。例えば、一つの供給デバイス１が、プロバイオティクバクテリアおよび他の臭気抑制物質を備えていてもよい。
【符号の説明】
【０１１２】
１    供給デバイス
５    第１の層
１０  第２の層
１５  添加剤
２０  空間
２５  第３の層
３０  使用者に面する側
３５  第２の縁部
４０  封止部
４５  第１の縁部
５０  吸収用品
５５  上側シート
６０  吸収構成体
６５  裏側シート
７０  開口部
【図１ａ】
2010508886.tif 000003
【図１ｂ】
2010508886.tif 000004
【図２ａ】
2010508886.tif 000005
【図２ｂ】
2010508886.tif 000006
【図２ｃ】
2010508886.tif 000007
【図２ｄ】
2010508886.tif 000008
【図３ａ】
2010508886.tif 000009
【図３ｂ】
2010508886.tif 000010
【図３ｃ】
2010508886.tif 000011
【図３ｄ】
2010508886.tif 000012
【図４ａ】
2010508886.tif 000013
【図４ｂ】
2010508886.tif 000014
【図４ｃ】
2010508886.tif 000015
【図４ｄ】
2010508886.tif 000016
【図５ａ】
2010508886.tif 000017
【図５ｂ】
2010508886.tif 000018
【国際調査報告】
2010508886.tif 000019
2010508886.tif 000020
2010508886.tif 000021
2010508886.tif 000022